(57)【要約】【課題】聞こえる音声の指向性や立体的な音響性能を具備し、また不要時には、眼鏡から取り外せるようにした補聴器具を提供する。【解決手段】眼鏡１の左右一対のつる２のそれぞれにマイクユニット３と骨伝導ユニット５とを取り付け、左側のつる２に取り付けたマイクユニット３と骨伝導ユニット５とを電気接続し、右側のつる２に取り付けたマイクユニット３と骨伝導ユニット５とを電気接続したものとしている。そして、前記マイクユニット３に、指向性を有するマイク７を具備したものとしている。さらに、前記骨伝導ユニット５を、つる２の中間部に垂設し、使用者の頬骨近傍を軽く押し付けるようにしたものとしている。【選択図】        図１
2004205839.tif 000002
【特許請求の範囲】
【請求項１】
眼鏡（１）の左右一対のつる（２）のそれぞれにマイクユニット（３）と骨伝導ユニット（５）とを取り付け、左側のつる（２）に取り付けたマイクユニット（３）と骨伝導ユニット（５）とを電気接続し、右側のつる（２）に取り付けたマイクユニット（３）と骨伝導ユニット（５）とを電気接続したことを特徴とする補聴器具。
【請求項２】
眼鏡（１）の左右一対のつる（２）のそれぞれにマイクユニット（３）と骨伝導ユニット（５）とを着脱自在として取り付け、左側のつる（２）に取り付けたマイクユニット（３）と骨伝導ユニット（５）とを電気接続し、右側のつる（２）に取り付けたマイクユニット（３）と骨伝導ユニット（５）とを電気接続したことを特徴とする補聴器具。
【請求項３】
前記マイクユニット（３）に、指向性を有するマイク（７）を具備したものとしたことを特徴とする請求項１または２記載の補聴器具。
【請求項４】
前記骨伝導ユニット（５）を、つる（２）の中間部に垂設し、使用者の頬骨近傍を軽く押し付けるようにしたことを特徴とする請求項１または２記載の補聴器具。
【発明の詳細な説明】
【０００１】
【発明の属する技術分野】
この発明は、眼鏡に取り付けたものとすることにより、目立たないと共に装着性に優れた補聴器具に関するものである。
【０００２】
【従来の技術】
従来、骨伝導マイクロホンや骨伝導イヤホンを取り付けた眼鏡として、例えばハンズフリー通話ユニットが存在する。このハンズフリー通話ユニットは、図８に示したように、眼鏡２１のつる２２に設けた骨伝導マイク２３と、眼鏡２１のつる２２に接続されたイヤホン２４とを具備するものとしたり、図９に示したように、眼鏡２１の鼻当て部２５に設けた骨伝導マイク２３と、眼鏡２１のつる２２に接続されたイヤホン２４とを具備するものとしたり、図１０に示したように、眼鏡２１の一方のつる２２に設けた骨伝導マイク２３と、眼鏡２１の他方のつる２２に設けた骨伝導イヤホン２６とを具備するものとしたり、図１１に示したように、眼鏡２１のつる２２に設けられた骨伝導マイク及び骨伝導イヤホンとして可逆的に動作する電気振動変換器２７とを具備し、電気振動変換器２７を送信時には骨伝導マイク２３として、受信時には骨伝導イヤホン２６として動作させるものとしたり、図１２に示したように、眼鏡２１の鼻当て部２５付近に設けたマイク２８と、マイク２８の高域成分と骨伝導マイク２３の低域成分を抽出し混合するミキシング回路２９とを具備するものとしている。
【０００３】
そして、通話装置からの受話信号は、リード線３０からイヤホン２４または骨伝導イヤホン２６に入力される。イヤホン２４または骨伝導イヤホン２６は使用者の耳に挿入または耳近くに接触しており、相手音声が使用者に伝達される。一方、使用者が発音すると、その音声は頭蓋骨を振動させる。この振動が眼鏡２１のつる２２または鼻当て部２５に取り付けられた骨伝導マイク２３に伝達され、電気信号に変換され、リード線３０から送話信号として通話装置に送られるようにしている（特許文献１参照）。
【０００４】
【特許文献１】
特開平８−２９８６９４号公報（第２頁右欄、図１〜図５）
【０００５】
【発明が解決しようとする課題】
しかしながら、上記従来のハンズフリー通話ユニットは、電話や無線機等に用いられるものであり、当然ながら本来の補聴器具が具備しておれば望ましい機能を具備していない。すなわち、従来のハンズフリー通話ユニットは、聞こえる音声の指向性や立体的な音響性能を具備していない。そのため、難聴者においては、音声がはっきりと聞き取れなかったりして、当然ながら補聴器具としては使用するに耐えないという問題点を有していた。
【０００６】
そこで、この発明は、上記従来の問題点を解決することをその課題としており、聞こえる音声の指向性や立体的な音響性能を具備し、また不要時には、眼鏡から取り外せるようにした補聴器具を提供することを目的としてなされたものである。
【０００７】
【課題を解決するための手段】
そのため、この発明の補聴器具は、眼鏡１の左右一対のつる２のそれぞれにマイクユニット３と骨伝導ユニット５とを取り付け、左側のつる２に取り付けたマイクユニット３と骨伝導ユニット５とを電気接続し、右側のつる２に取り付けたマイクユニット３と骨伝導ユニット５とを電気接続したものとしている。
【０００８】
また、この発明の補聴器具は、眼鏡１の左右一対のつる２のそれぞれにマイクユニット３と骨伝導ユニット５とを着脱自在として取り付け、左側のつる２に取り付けたマイクユニット３と骨伝導ユニット５とを電気接続し、右側のつる２に取り付けたマイクユニット３と骨伝導ユニット５とを電気接続したものとしている。
【０００９】
そして、この発明の補聴器具は、前記マイクユニット３に、指向性を有するマイク７を具備したものとしている。
【００１０】
さらに、この発明の補聴器具は、前記骨伝導ユニット５を、つる２の中間部に垂設し、使用者の頬骨近傍を軽く押し付けるようにしたものとしている。
【００１１】
【発明の実施の形態】
以下、この発明の補聴器具の実施の形態を、図面に基づいて詳細に説明する。
【００１２】
図１〜２は、この発明の補聴器具の一実施形態を示している。眼鏡１の左右一対のつる２の前寄り部には、それぞれにマイクユニット３を取り付けたものとしている。また、眼鏡１の左右一対のつる２の中間部には、それぞれに骨伝導ユニット５を取り付けたものとしている。そして、前記左側のつる２に取り付けたマイクユニット３と骨伝導ユニット５とを電気接続し、右側のつる２に取り付けたマイクユニット３と骨伝導ユニット５とを電気接続したものとしている。
【００１３】
図３〜４は、この発明の補聴器具の他の実施形態を示している。眼鏡１の左右一対のつる２の前寄り部には、それぞれにマイクユニット３を着脱自在として取り付けたものとしている。また、眼鏡１の左右一対のつる２の中間部には、それぞれに骨伝導ユニット５を着脱自在として取り付けたものとしている。そして、前記左側のつる２に取り付けたマイクユニット３と骨伝導ユニット５とを電気接続し、右側のつる２に取り付けたマイクユニット３と骨伝導ユニット５とを電気接続したものとしている。すなわち、この補聴器具は、マイクユニット３の内側に係止体４を取り付け、マイクユニット３の下側に骨伝導ユニット５を連結し、マイクユニット３の後方に中空とした連結管Ｐを介してバッテリー６を連結したものとしている。そして、図４に示したように、前記マイクユニット３に取り付けた係止体４を、眼鏡１の左右一対のつる２にそれぞれに外側から引っ掛けることにより、眼鏡１にマイクユニット３および骨伝導ユニット５を取り付けている。また、この補聴器具は、眼鏡１のみを使用する場合には、前記眼鏡１のつる２からマイクユニット３の係止体４を外すことにより、眼鏡１からマイクユニット３、骨伝導ユニット５およびバッテリー６を取り外すことができるものとしている。
【００１４】
眼鏡１としては、近視用、遠視用、老眼用、乱視用など、一般に眼鏡と呼ばれるものであれば、特に限定されない。また、度の付いていないレンズを用いたり、レンズを無くした、いわゆる伊達眼鏡や疑似眼鏡であってもよい。
【００１５】
つる２は、金属や合成樹脂などから作製され、少なくともマイクユニット３とバッテリー６の間に位置する部分２ａを中空とし、この中空部分２ａにマイクユニット３および骨伝導ユニット５とバッテリー６とを電気接続するコード類（図示せず）が挿入されるようにし、外からはこれらコード類が見えないようにしている。なお、図３、４に示したものでは、前記連結管Ｐにマイクユニット３および骨伝導ユニット５とバッテリー６とを電気接続するコード類を挿入したものとしており、この場合は前記つる２を中空とする必要はない。
【００１６】
マイクユニット３には、マイク７が具備されている。マイク７は、いうまでもなく使用者の会話相手等の音声を電流に変換するものであり、前記つる２の前端部から中間部または前端部から後端部にかけて取り付けたものとしている。このマイク７は、指向性を有するものとするのが好ましい。マイク７を指向性を有するものとした場合には、そのヘッド部７ａを眼鏡１の前方に向けたものとしている。このようなマイク７では、補聴器具の使用者にとって会話相手等の音声の発する方向が認識でき、その方向を向けば自然な状態で会話等ができ、マイク７に音声信号も効率よく入力されることになる。また、バッテリー６は、マイク７や後に述べる骨伝導スピーカ８を作動させるためのものであり、眼鏡１の耳当て２ｂや使用者の外耳の付け根の外周に沿うようにしたバッテリーケース９内に収納されている。
【００１７】
骨伝導ユニット５は、つる２の中間部に垂設するようにして取り付けており、骨伝導スピーカ８とアンプ（図示せず）などが具備されている。骨伝導スピーカ８は、マイク７で集音してアンプで増幅した使用者の会話相手等の音声を、それに応じた音声振動として出力するものであり、前記つる２の中間部に垂設された骨伝導ユニット５が使用者の頬骨近傍を軽く押し付けるようにしたものとするのが、使用者への音声振動の伝導効率が良くなるので好ましい。また、前記骨伝導スピーカ８は、左右一対のつる２に取り付けられた骨伝導ユニット５にそれぞれ具備したものとしており、左右一対のつる２に取り付けられたマイクユニット３に具備したそれぞれのマイク７で集音した音声が音声振動としてそれぞれの骨伝導スピーカ８へ出力されるので、立体的な音響性能が得られることになる。
【００１８】
そして、この骨伝導スピーカ８は、図５に示したように、ヨーク１１と、このヨーク１１の中心磁極１２を取り巻くボイスコイル１３の外側に対向して配されるマグネット１４と、前記ヨーク１１のプレートヨーク１５に取り付けられた振動板１６とからなるものとしている。プレートヨーク１５は、両端の薄手部が振動板１６に固定され、中間の厚手部は振動し得る状態となっている。このプレートヨーク１５の中間の厚手部には、二個のタップ孔１７が形成され、ハウジング１８への組み込み時にネジ１９をねじ込むことにより、スピーカ全体がハウジング１８に取り付けられるようにしている。したがって、骨伝導スピーカ８は、前記組み込み時において、プレートヨーク１５を介してハウジング１８内に浮上した状態に取り付けられることになる。このようにした骨伝導スピーカ８は、音声信号によって発生する振動がハウジング１８に有効に伝達されるため、効率のよいものとなる。
【００１９】
このように構成したこの発明の補聴器具は、図６、７に示したように、使用者が眼鏡１を普通の状態で着用すれば、この補聴器具も自然と着用された状態となるので、装着が非常に簡単ものとなると共に、近視用の眼鏡など、常用する眼鏡１の着用者であれば、この補聴器具も着用するのを忘れることもなくなり、非常に都合の良いものとなる。
【００２０】
【発明の効果】
この発明の補聴器具は、以上に述べたように構成されており、聞こえる音声の指向性や立体的な音響性能を具備したものとなり、また不要時には眼鏡から取り外せるようにしたので、補聴性能に非常に優れたものとなると共に、補聴器具としての機能性に優れたものとなった。
【図面の簡単な説明】
【図１】この発明の補聴器具の一実施形態を示す斜視図である。
【図２】この発明の補聴器具のバッテリーケースを分解した状態を示す斜視図である。
【図３】この発明の補聴器具の他の実施形態を示す斜視図である。
【図４】この発明の補聴器具のマイクユニットと骨伝導ユニットを眼鏡から外した状態を示す斜視図である。
【図５】この発明の補聴器具の骨伝導スピーカの断面である。
【図６】図１に示すこの発明の補聴器具の使用者への装着状態を示す説明図である。
【図７】図３に示すこの発明の補聴器具の使用者への装着状態を示す説明図である。
【図８】従来のハンズフリー通話ユニットの第一例を示す斜視図である。
【図９】従来のハンズフリー通話ユニットの第二例を示す斜視図である。
【図１０】従来のハンズフリー通話ユニットの第三例を示す斜視図である。
【図１１】従来のハンズフリー通話ユニットの第四例を示す斜視図である。
【図１２】従来のハンズフリー通話ユニットの第五例を示す斜視図である。
【符号の説明】
１  眼鏡
２  つる
３  マイクユニット
５  骨伝導ユニット
７  マイク
【図１】
2004205839.tif 000003
【図２】
2004205839.tif 000004
【図３】
2004205839.tif 000005
【図４】
2004205839.tif 000006
【図５】
2004205839.tif 000007
【図６】
2004205839.tif 000008
【図７】
2004205839.tif 000009
【図８】
2004205839.tif 000010
【図９】
2004205839.tif 000011
【図１０】
2004205839.tif 000012
【図１１】
2004205839.tif 000013
【図１２】
2004205839.tif 000014